(57)【要約】  金管楽器用の弁システムであって、機械的に操作される回転弁を備え、該回転弁が弁ブシュ（８）内に回転可能に支持されており、さらに、空気流を供給しかつ導出する管ならびに弁管ループ（１１）のための管取付け部（１，２，３，４）を備えた、金管楽器用の弁システムにおいて、当該弁システムが、フライス削りされた弁ブロック（９）を有しており、該弁ブロック（９）内に、当該弁システムを直線状にかつ一定の横断面を持って前記弁ブシュ（８）を通って貫通している孔（１０）が設けられており、該孔（１０）に、該孔（１０）に対してほぼ直角に延びる、前記弁管ループ（１１）に通じた、同じ横断面の複数の孔（１３）が開口しており、当該システムを貫通した前記孔（１０）と、弁管ループ（１１）に通じた前記孔（１３）とが、回転可能な弁シリンダ（１２）と、該弁シリンダ（１２）内に配置された孔（６）とによって、弁操作時に互いに接続されており、該孔（６）が、前記弁シリンダ（１２）をほぼ直線状に貫通して延びており、前記孔（６）の横断面が、前記別の孔（１０，１３）の横断面に相当しており、前記弁ブシュ（８）が同じく直接に前記弁ブロック（９）内でフライス削りされていることを特徴とする、金管楽器用の弁システム。
2015519603.tif 000002
【特許請求の範囲】
【請求項１】
金管楽器用の弁システムであって、機械的に操作される回転弁を備え、該回転弁が弁ブシュ（８）内に回転可能に支持されており、さらに、空気流を供給しかつ導出する管ならびに弁管ループ（１１）のための管取付け部（１，２，３，４）を備えた、金管楽器用の弁システムにおいて、
当該弁システムが、フライス削りされた弁ブロック（９）を有しており、
該弁ブロック（９）内に、当該弁システムを直線状にかつ一定の横断面を持って前記弁ブシュ（８）を通って貫通している孔（１０）が設けられており、
該孔（１０）に、該孔（１０）に対してほぼ直角に延びる、前記弁管ループ（１１）に通じた、同じ横断面の複数の孔（１３）が開口しており、
当該システムを貫通した前記孔（１０）と、弁管ループ（１１）に通じた前記孔（１３）とが、回転可能な弁シリンダ（１２）と、該弁シリンダ（１２）内に配置された孔（６）とによって、弁操作時に互いに接続されており、
前記孔（６）が、前記弁シリンダ（１２）をほぼ直線状に貫通して延びており、該孔（６）の横断面が、前記別の孔（１０，１３）の横断面に相当しており、
前記弁ブシュ（８）が同じく直接に前記弁ブロック（９）内でフライス削りされていることを特徴とする、金管楽器用の弁システム。
【請求項２】
前記弁ブシュ（８）内に回転可能に支持された前記弁シリンダ（１２）に設けられた前記孔（６）が、少なくとも端部領域（５）において、僅かにほぼＳ字形に湾曲されて形成されており、
前記端部領域（５）が、弁の操作時に、変向領域内で前記孔（１０）内へ進入するように回転させられて、該変向領域で空気流をより穏やかに導き、横断面変化なしに均一に前記弁管ループ（１１）に供給する、請求項１記載の金管楽器用の弁システム。
【請求項３】
前記弁シリンダ（１２）が、上側および下側でボールベアリング内に案内されており、前記弁ブシュ（８）に対して、摩擦なく該弁ブシュ（８）内で回転可能である、請求項１または２記載の金管楽器用の弁システム。
【発明の詳細な説明】
【技術分野】
【０００１】
本発明は、請求項１の前提部に記載された、金管楽器用の弁システムに関する。
【０００２】
トランペットやホルン、トロンボーン、チューバのような金管楽器による演奏時の音の高さおよび音程（イントネーション）は、楽器を吹くテクニックや唇の使い方に加え、楽器に設けられた機械的な弁によって変えられる。これらの弁は通常、ばね付勢されたレバーと、機械的なジョイントまたは紐機構とを介して操作可能である。弁が操作されると、楽器に取り入れられた空気は、所定の長さの択一的な管ループ（迂回管）によって案内され、これにより、自然音を管路長の延長によって半音ないし３半音だけ下げることができる。この場合、負荷された弁管ループは、一般に、円筒状の孔が、弁管ループの微調整のための弁抜差管の形成を可能にするように形成されている。
【０００３】
本発明はこの場合、回転弁（ロータリバルブ）を備えた弁システムに関する。該回転弁は、２つの通路を備えた１つの弁体を有しており、この弁体は、弁が１回操作されると、弁体の垂直軸の９０°回転を行い、こうして弁管ループ内への空気の迂回を実施する。金管楽器用のこのような回転弁は、たとえば独国特許出願公開第３０１３６４６号明細書に記載されており、同独国特許出願公開明細書に記載の発明の目的は、空気案内における不連続性を改善することに向けられている。
【０００４】
独国特許出願公開第３０１３６４６号明細書の記載によれば、回転弁における根本的な問題は、空気流の変向が行われなければならず、しかも、それぞれ９０°の４回の変向が行われなければならないことである。同独国特許出願公開明細書に記載の改善のための手段は、弁内の孔を変え、かつ弁における管端の耳部の取付けを変えることによって、空気流の全体の方向変化量を減少させ、こうしてエッジ部を巡る流過による抵抗を減少させることである。
【０００５】
このことは、弁管ループに通じた管が、弁体中心点には向けられておらず、かつなだらかに形成されていることにより達成される。弁に通じた主管抜差管の入口および出口のための穿孔は、この場合、まだクラシカルな形式で、弁の中心点の方向に行われ、この場合、相応する管端の耳部は、弁管と、弁管に通じた管との間の結合エレメントとして設けられている。したがって、これらの耳部は、弁内への入口では、相変わらず標準的に折り曲げられているが、弁管ループへの移行部の範囲では真っ直ぐに形成されている。これによって、変向にかかる手間が減じられる。
【０００６】
本発明の目的は、弁構造をさらに改善することであり、この場合、まったく新規の基本構造が提案される。回転弁の構造の第１の相違点は、自然音の吹奏時に生ぜしめられ、この自然音は、本発明によれば、回転弁による変向なしに、楽器を通じて奏でられることが望ましい。従来の回転弁では、弁が操作されてない状態でも、空気流の狭窄または変向が、常に与えられている。なぜならば、弁通過部はすでに、純粋に製造に起因して横断面の不正確性、段部および狭窄部を有しているからである。このことは、楽器の演奏および音出しを困難にしている。
【０００７】
したがって、たとえば独国特許出願公開第３０１３６４６号明細書に記載の前で説明した構造におけるように、慣用の弁ハウジングでは、弁が操作されていない状態でも、空気流を妨げる要因が与えられている。なぜならば、空気流は、弁が操作されていない状態でも、常に、取り付けられた耳部を介して回転弁内に向かう変向により、弁体を有する第１の弁ハウジングを通って案内され、そして再び次の耳部と、次の弁ハウジングへの移行管区分とへ変向され、こうして、空気流は変向および、場合によっては狭窄を受ける。
【０００８】
欧州特許出願公開第０１３５６４３号明細書に開示されている発明は、たしかに回転弁の構造における改善を目的としているが、しかしやはりこのような欠点を有している。同欧州特許出願公開明細書においても、前で述べた変向部や狭窄部が、不都合であることが言及されており、それゆえに、管取付け部、結合管および弁切換部の通過部の横断面を一定に形成し、これらの構成要素の間のすべての移行部を滑らかでかつ段部なしに形成することが提案されている。このようにしてある程度の改善が達成され得るということを前提とすることができる。
【０００９】
このような背景のもとでの本発明の課題は、弁が開いた状態で、楽器の弁システムを通る、可能な限り真っ直ぐでかつ均一な空気流を可能にするような、金管楽器用の弁システムを提供することである。これによって楽器の吹始めやレスポンスが改善されるとともに、すべての音域で、補償された響きが達成される。
【００１０】
本発明による弁システムでは、開いた状態の弁システムにおける空気流の狭窄や変向の上記問題は生じない。なぜならば、弁が操作されていない状態では、空気は、相前後して結合されて配置された複数の弁ブシュから成る弁システムを通って、真っ直ぐに通流案内されるからである。本発明によれば、このことは、１つの一貫した真っ直ぐな孔を有する、弁ブロックおよび弁ハウジングとして形成された弁システムによって達成され、この場合、使用される回転弁は、これらの回転弁が、非操作時では、直線状に一貫して延びる孔の横断面の延長部もしくは継続部を形成するように構成されている。
【００１１】
すなわち、この構造では、弁ブロックが１つの基体から加工成形されており、従来技術においてそうであるように、弁ブシュや取付けられた耳部、管片のような個々の構成部分の複雑な結合を有するものではない。したがって、弁ブロックは楽器の吹付け管の主管を収容していて、この主管を、直線状にかつ一定の横断面を持って、一貫した孔として、この主管に対して直角を成して配置された弁ブシュに通して案内している。したがって、耳部と管区分とによる弁ブシュの相互の結合は不要となる。弁ブロックは、相応して孔と弁ブシュとともに、１つの部分から加工成形されている。
【００１２】
すなわち、吹奏楽器の管の取付け部に通じた孔を、完全に真っ直ぐに弁ブシュに通して貫通案内する、有利な手段が得られる。したがって、弁ブシュと管との間の変向を行う結合体として耳部を取付けることは不要となる。このことにより、実際には、特に吹始めにおいて、理想的な自然の音生成が生ぜしめられる。なぜならば、空気流が、狭窄や変向なしに、楽器を通じて振動し得るからである。
【００１３】
この場合、たとえばホルンの弁管ループ内への変向は、たとえば欧州特許出願公開第０１３５６４３号明細書に記載の従来技術において弁ブシュにおける、取り付けられた耳部の案内により行われるよりも強力な変向によって行われるが、しかし、このことは意想外にも不都合とならず、それどころか、弁の操作時における、音の、より明瞭なアクセント付けや分離を可能にしている。すなわち、本発明による弁システムによる、弁管ループ内への空気流の、より強力な変向は、好ましくは、これらの音の、より強力なレスポンスを生ぜしめ、したがってむしろ、汎用の構造に対する利点を成している。コンピュータ制御されたフライス切削機械によって１つのワークブロックから行われ得る、弁ブロックの孔の正確な加工により、弁シリンダ内の円筒状の孔に対する移行部におけるこれらの孔の円筒状の接続部は、より正確にかつ十分に形成されており、この場合、このことも、音の、より強力でかつよりアクセント付けされたレスポンスを生ぜしめる。
【００１４】
本発明の有利な実施態様では、弁ブシュ内に回転可能に支持された弁シリンダの孔において、これらの孔が、弁の操作時に弁シリンダ内への入口領域において、僅かにＳ字形に湾曲されて形成されている。弁管ループへの移行部もしくは操作位置における出口区分では、この孔は直線状に形成されている。変向部は、たしかに引き続き、ほぼ直角であって、前で挙げた好都合な効果を有しているが、しかしこれによって、特に弁が操作された状態での空気案内における改善が得られる。なぜならば、弁ブロック内への入口における僅かに湾曲された形状が、空気抵抗を減少させるからである。空気流は、より穏やかに受け止められて、横断面変化なしに均一に弁管ループに供給される。さらに、この構造においては、空気流は、弁操作時および９０°の弁回転時に、加速を受け、これによって、音は一層良好に中心音（Ｋｌａｎｇｚｅｎｔｒｕｍ）に集中され得る。このようにして、演奏者はより滑らかなレガートを達成することができる。
【００１５】
別の有利でかつ新しい要素は、ボールベアリングである。このボールベアリング内では、空気流を変向させるために弁ブシュ内で９０°だけ回転される弁シリンダが、上側および下側で案内されている。このようにして、弁ブシュ内で弁シリンダが摩擦なく動かされること、すなわち、弁シリンダが、回転時に弁ブシュの壁に沿ってスリップしながら回転ないことが達成される。このことは、操作の簡単化も、演奏中のノイズ発生の減少をも可能にする。特に、このことは楽器の共振に関する改善でもある。なぜならば、弁ブシュ内での弁シリンダの摩擦による不都合な共振が、楽器本体にもはや伝達されないからである。こうして楽器は、妨げられずに、共振体として振動することができる。
【００１６】
以下に、本発明の実施形態を図面につき詳しく説明する。
【図面の簡単な説明】
【００１７】
【図１】弁システムの弁が操作されていない状態で、開いた弁ブシュ内の弁シリンダを断面して示す弁システムの平面図である。
【図２】弁システムの弁が操作されている状態で、開いた弁ブシュ内の弁シリンダを断面して示す弁システムの平面図である。
【００１８】
弁システム９の開口１を通して、息を吹き込む吹付け管の空気流が弁システム９に供給される。空気流は、矢印によって概略的に図示されている。図中では、この空気流は、弁システムを直線状に通流し、この場合、空気流は横断面の狭窄部によっても、変向部によっても妨げられない。
【００１９】
このことは、従来汎用の弁システムに対する基本的な変更であることは明らかである。弁シリンダ１２に設けられた孔６の出口においてのみ、軽度の湾曲部が存在しており、この湾曲部はこの範囲における弁切換部の内壁の肉厚のくびれとして形成されている。孔６の前側の区分７は、弁システム内への管導入部１の横断面と正確に一致している。
【００２０】
基本的には、一定の横断面の一貫した孔１０が、弁システムもしくは弁ブロック９を貫通している。したがって、弁ブロック９は１つのブロックからフライス削りにより加工されている。この場合、外側輪郭も、主管用の取付け部１，２ならびに弁管ループ１１（迂回管）用の取付け部３，４も１つのブロックからフライス削りされており、さらに、円筒状の弁ブシュ８および孔１０、ならびにこの孔１０に直角に接続された、弁管ループ１１に通じる孔もフライス削りされている。
【００２１】
図２には、この弁システムが、弁シリンダ１２の操作された状態で図示されている。すなわち、これらの弁シリンダ１２は、弁ブシュ８内で９０°だけ回転させられている。矢印により、空気流が、入口１から弁システム内へ流入し、弁シリンダ１２に設けられた孔６によって直角に変向されることが判る。図示した実施形態では、孔６が前側の範囲５で、僅かに湾曲させられて延びていることにより、前記変向部が穏やかに延びている。弁シリンダ１２の回転された位置で見て、弁管ループ１１に向かう後側の範囲７は、孔６の横断面が、この孔６に続いた弁管ループ１１に正確に相応するように延びている。
【図１】
2015519603.tif 000003
【図２】
2015519603.tif 000004
【国際調査報告】
2015519603.tif 000005
2015519603.tif 000006
2015519603.tif 000007
2015519603.tif 000008
2015519603.tif 000009
2015519603.tif 000010